(57)【特許請求の範囲】
【請求項１】
物体側から順に、変倍のためには移動しない正の屈折力の第１群、変倍時に移動する負の屈折力の第２群、変倍時に移動する正の第３群、変倍のためには移動しない正の第４群から構成され、
変倍に際して隣接するレンズ群の間隔が変化し、
該第３群は広角端から望遠端への変倍に際して、像側に移動した後、物体側に移動し、該第１群の焦点距離をｆ１、該第２群の焦点距離をｆ２、該第３群の焦点距離をｆ３、無限遠より光束が入射する際の広角端における該第３群の横倍率をβ３ｗとしたとき、
−２．９２≦ｆ１／ｆ２＜−１．０
−０．５５＜ｆ２／ｆ３＜−０．２０
−０．７＜１／β３ｗ＜０．５
を満たすことを特徴とするズームレンズ。
【請求項２】
前記第１群は、合焦のためには移動しない負の屈折力の第１１群、無限遠側から至近側への合焦時に像側へ移動する正の屈折力の第１２群、合焦のためには移動しない正の屈折力の第１３群から構成される、ことを特徴とする請求項１に記載のズームレンズ。
【請求項３】
前記第１１群の焦点距離をｆ１１、前記第１２群の焦点距離をｆ１２、前記第１３群の焦点距離をｆ１３としたとき、
−２．３＜ｆ１２／ｆ１１＜−１．５
０．９＜ｆ１３／ｆ１＜１．５
を満たすことを特徴とする請求項２に記載のズームレンズ。
【請求項４】
前記第１１群は１枚以上の凸レンズと１枚以上の凹レンズから構成され、該第１１群を構成する凸レンズのアッベ数の平均値をν１１ｐ、該第１１群を構成する凹レンズのアッベ数の平均値をν１１ｎとしたとき、
１８＜ν１１ｎ−ν１１ｐ＜４５
を満たすことを特徴とする請求項２又は３に記載のズームレンズ。
【請求項５】
前記第１１群の最も物体側のレンズは凹レンズであり、該凹レンズの物体側の面の曲率半径をＲ１、該凹レンズの像側の面の曲率半径をＲ２としたとき、
−０．５＜（Ｒ１＋Ｒ２）／（Ｒ１−Ｒ２）＜２．５
を満たすことを特徴とする請求項２乃至４のいずれか１項に記載のズームレンズ。
【請求項６】
前記第１３群は２枚以上の凸レンズと１枚以上の凹レンズから構成され、該第１３群を構成する凸レンズのアッベ数と部分分散比の平均値をν１３ｐ、θ１３ｐ、該第１３群を構成する凹レンズのアッベ数と部分分散比の平均値をν１３ｎ、θ１３ｎとしたとき、
−２．５×１０−３＜（θ１３ｐ−θ１３ｎ）／（ν１３ｐ−ν１３ｎ）＜−５．０×１０−４
を満たすことを特徴とする請求項２乃至５のいずれか１項に記載のズームレンズ。
【請求項７】
前記第２群は１枚以上の凸レンズと２枚以上の凹レンズから構成され、該第２群を構成する凸レンズのアッベ数と部分分散比の平均値をν２ｐ、θ２ｐ、該第２群を構成する凹レンズのアッベ数と部分分散比の平均値をν２ｎ、θ２ｎとしたとき、
−３．５×１０−３＜（θ２ｐ−θ２ｎ）／（ν２ｐ−ν２ｎ）＜−１．５×１０−３
を満たすことを特徴とする請求項２乃至６のいずれか１項に記載のズームレンズ。
【請求項８】
前記第１１群は１枚の凸レンズと２枚以上の凹レンズから構成され、該第１１群の最も像側のレンズは凸レンズである、ことを特徴とする請求項２乃至７のいずれか１項に記載のズームレンズ。
【請求項９】
前記第１１群内の凸レンズの合成焦点距離をｆ１１ｐ、該第１１群内の凹レンズの合成焦点距離をｆ１１ｎ、該第１１群の焦点距離をｆ１１、としたとき、
−３．５＜ｆ１１ｐ／ｆ１１＜−１．５
０．５＜ｆ１１ｎ／ｆ１１＜０．８
を満たすことを特徴とする請求項８に記載のズームレンズ。
【請求項１０】
請求項１乃至９のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、写真用カメラ、ビデオカメラ等の撮像装置には、小型軽量で、広画角・高ズーム比かつ高い光学性能を有したズームレンズが要望されている。特に、プロフェッショナルの動画撮影システムとしてのテレビ・映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。また、機動性や操作性を重視した撮影形態に対して小型軽量化も要求されている。
【０００３】
広画角、高ズーム比のズームレンズとして、最も物体側に正の屈折力のレンズ群を配置し、全体として４つのレンズ群により構成されるポジティブリード型の４群ズームレンズが知られている。
【０００４】
例えば、特許文献１では、広角端のＦナンバー１．６〜１．７程度、広角端の画角６５度〜８７度程度、望遠端の画角４度〜１３度程度、変倍比８〜１８程度の４群ズームレンズが開示されている。正の屈折力の第１レンズ群、負の屈折力の第２レンズ群、正または負の屈折力の第３レンズ群、正の屈折力の第４レンズ群から構成されている。また、第１レンズ群が負の屈折力の第１１群、正の屈折力の第１２群、正の屈折力の第１３群から構成され、無限遠側から至近側への合焦時に第１２群が像側へ移動する構成となっている。
【０００５】
特許文献２では、正の屈折力の第１レンズ群、負の屈折力の第２レンズ群、正の屈折力の第３レンズ群、正の屈折力の第４レンズ群から構成されている４群ズームレンズが開示されている。第１レンズ群が負の屈折力の第１１群、正の屈折力の第１２群、正の屈折力の第１３群から構成され、無限遠側から至近側への合焦時に第１２群が像側へ移動する構成となっている。
【０００６】
特許文献３では、広角端のＦナンバー２．８程度、広角端の画角３５度程度、望遠端の画角１２度程度、変倍比２．７程度の４群ズームレンズが開示されている。第１レンズ群が負の屈折力の第１１群、正の屈折力の第１２群から構成され、無限遠側から至近側への合焦時に第１２群は物体側へ移動する構成となっている。
【先行技術文献】
【特許文献】
【０００７】
【特許文献１】特開平６−２４２３７８号公報
【特許文献２】特開昭５２−０８４７５４号公報
【特許文献３】特開２００８−２１６４８０号公報
【発明の概要】
【発明が解決しようとする課題】
【０００８】
しかしながら、特許文献１に開示されているズームレンズでは、更なる小型軽量化と高い光学性能達成の両立が困難である。実施例１、２には、絞りより物体側に負の屈折力を有したレンズ群が並ぶ構成が開示されている。第２レンズ群や第１レンズ群の像側のレンズ群の径が増大する傾向があるため、ズームレンズの小型化に不利である。また、小型軽量化のために、各レンズ群の屈折力を強くすると、全ズーム領域に渡り収差変動が大きくなり、高い光学性能達成が困難となる。また、特許文献１の実施例３には、第３レンズ群が正の屈折力の実施例が開示されているが、第３レンズ群の屈折力が強いため、構成枚数が多くなり、小型軽量化には不利である。且つ、第３レンズ群から射出される強い収斂光束に対して、十分なＦナンバーや射出瞳を確保するためには、第４レンズの構成枚数が多くなり、結果として小型軽量化が困難である。
【０００９】
一方、特許文献２には、第３レンズ群が正の屈折力を有する実施例が開示されているが、第３群の屈折力が弱く、第３レンズ群から射出される光束が発散となる。発散光束に対して、十分なＦナンバーや射出瞳を確保するためには、第４レンズの構成枚数が多くなり、結果として小型軽量化が困難である。
【００１０】
特許文献３に開示されているズームレンズでは、各レンズ群の屈折力やレンズ構成が更なる広画角化に対して不利であり、広画角化に伴うレンズ径の大型化を抑制することが困難となる。
【００１１】
そこで、本発明は、各レンズ群の屈折力やレンズ構成、そして収差分担等を適切に設定することにより、広画角、高ズーム比、小型軽量で全ズーム範囲に渡り高い光学性能を有するズームレンズの提供を目的とする。具体的には、広角端の画角３５度〜１００度程度、望遠端の画角１０度〜４５度程度、変倍比２．５〜５程度の高変倍比・小型軽量で、高性能なズームレンズの提供を目的とする。
【課題を解決するための手段】
【００１２】
上記目的を達成するために、本発明のズームレンズ及びそれを有する撮像装置は、物体側から順に、変倍のためには移動しない正の屈折力の第１群、変倍時に移動する負の屈折力の第２群、変倍時に移動する正の第３群、変倍のためには移動しない正の第４群より構成されるズームレンズにおいて、変倍に際して隣接するレンズ群の間隔が変化し、該第３群は広角端から望遠端への変倍に際して、像側に移動した後、物体側に移動し、該第１群の焦点距離をｆ１、該第２群の焦点距離をｆ２、該第３群の焦点距離をｆ３、無限遠より光束が入射する際の広角端における該第３群の横倍率をβ３ｗとしたとき、
−２．９２≦ｆ１／ｆ２＜−１．０
−０．５５＜ｆ２／ｆ３＜−０．２０
−０．５＜１／β３ｗ＜０．５
を満たすことを特徴とする。
【発明の効果】
【００１３】
各レンズ群の屈折力やレンズ構成、そして収差分担等を適切に設定することにより、広画角、高ズーム比、小型軽量で全ズーム範囲に渡り高い光学性能を有するズームレンズを実現する。
【図面の簡単な説明】
【００１４】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】数値実施例７の広角端において無限遠合焦時のレンズ断面図
【図１４】数値実施例７の広角端（ａ）、ズーム中間（ｂ）、望遠端（ｃ）で無限遠合焦時の収差図
【図１５】広角端、ズーム中間、望遠端における光路図
【図１６】正レンズ群の軸上色収差の２色の色消しと二次スペクトル残存に関する模式図
【図１７】負レンズ群の軸上色収差の２色の色消しと二次スペクトル残存に関する模式図
【図１８】正レンズ群の倍率色収差の２色の色消しと二次スペクトル残存に関する模式図
【図１９】負レンズ群の倍率色収差の２色の色消しと二次スペクトル残存に関する模式図
【図２０】本発明の撮像装置の要部概略図
【発明を実施するための形態】
【００１５】
以下に、本発明の好ましい実施の形態を、添付の図面に基づいて詳細に説明する。
まず、本発明のズームレンズの特徴について、各条件式に沿って説明する。
本発明のズームレンズは、広画角、高ズーム比、小型軽量で全ズーム範囲に渡り高い光学性能を達成するために、第１群と第２群の焦点距離の比、第２群と第３群の焦点距離の比および第３群の広角端における横倍率を規定することを特徴とする。
【００１６】
本発明のズームレンズは、物体側から順に、変倍のためには移動しない正の屈折力の第１群、変倍時に移動する負の屈折力の第２群、変倍時に移動する正の第３群、変倍のためには移動しない正の第４群より構成されている。さらに、第１群の焦点距離をｆ１、第２群の焦点距離をｆ２、第３群の焦点距離をｆ３、無限遠より光束が入射する際の広角端における第３群の横倍率をβ３ｗとしたとき、
−２．９２≦ｆ１／ｆ２＜−１．０      ・・・（１）
−０．５５＜ｆ２／ｆ３＜−０．２０    ・・・（２）
−０．７＜１／β３ｗ＜０．５          ・・・（３）
を満たしている。
【００１７】
本発明において、変倍のためには移動しない正の屈折力の第１群、変倍時に移動する負の屈折力の第２群、変倍時に移動する正の第３群、変倍のためには移動しない正の第４群より構成することによる光学的作用に関して説明する。
【００１８】
図１５は、本発明の実施例１の広角端（ａ）、ズーム中間（ｂ）、望遠端（ｃ）における光路図を示している。Ｕ１〜Ｕ４は、それぞれ第１群〜第４群を表している。図１５の（ａ）、（ｃ）からわかるように、第１群の中でも像側のレンズ群は、望遠端の軸外光線でレンズ径が決まっており、また第２群の中でも物体側のレンズは、広角端の軸外光線でレンズ径が決まっている。小型軽量化を達成するには、レンズ重量の重い第１群、第２群のレンズ径を抑制することが有効である。本発明のように、第３群の屈折力を正にすることで、軸外光線の光線高を下げることが可能であり、小型軽量化に有利なレンズ構成となっている。
更に、前述の（１）〜（３）式を満たすことで、広画角、高ズーム比、小型軽量で全ズーム範囲に渡り高い光学性能を効果的に達成することが可能となる。
【００１９】
（１）式は、第１群の焦点距離と第２群の焦点距離の比を規定している。（１）式を満たすことで、ズームレンズの広画角化と収差変動の補正の両立を達成している。ズームレンズの焦点距離は、第１群の焦点距離に第２群から第４群までの横倍率を掛け合わせ値となるため、広画角化を達成するためには、第１群の焦点距離を適切に設定する必要がある。（１）式の上限の条件が満たされないと、第１群の屈折力が強くなり、収差変動の補正が困難となる。また、第１群に対して第２群の屈折力が不足するため、ズームレンズの小型軽量化に不利である。逆に、（１）式の下限の条件が満たされないと、第１群の屈折力が不足するため、広画角化や小型軽量化が困難となる。更に好ましくは、（１）式は次の如く設定するのが良い。
−２．９２≦ｆ１／ｆ２＜−１．５          ・・・（１ａ）
【００２０】
また、（２）式は第２群の焦点距離と第３群の焦点距離の比を規定している。（２）式を満たすことで、第３群に対する第２群の焦点距離を適切に設定することができるため、広画角化と小型軽量化の両立に加え、高ズーム比と高い光学性能を効率的に実現することができる。（２）式の上限の条件が満たされないと、第２群の屈折力が強くなるため、変倍に伴う収差変動が大きくなり、ズーム全域で良好な光学性能を達成することが困難となる。また、第３群の屈折力が弱くなるため、前述で説明した第１群の像側のレンズ径及び第２群の物体側のレンズ径の抑制効果が弱くなり、小型軽量化に不利となる。逆に、（２）式の下限の条件が満たされないと、第２群の屈折力が弱くなるため、変倍に伴う第２群の移動量が大きくなり、高ズーム比と小型軽量化の両立が困難となる。更に好ましくは、（２）式は次の如く設定するのが良い。
−０．４５＜ｆ２／ｆ３＜−０．２５          ・・・（２ａ）
【００２１】
（３）式は無限遠より光束が入射する際の広角端における第３群の横倍率β３ｗの逆数を規定したものである。（３）式は、レンズ系全体の小型軽量化を図るために規定している。（３）式を満たすことで、第３群からの射出光束が略アフォーカルとなるため、第４群の構成枚数を少なくすることが可能となり、小型軽量に有利である。（３）式の上限の条件が満たされないと、第３群からの射出光束の発散が強くなり、第４群に強い正の屈折力のレンズ群が必要となるため、第４群の構成枚数が多くなる。逆に、（３）式の下限の条件が満たされないと、第３群からの射出光束の収斂が強くなる。第３群からの射出光束を強い収斂光束にするには、第３群の屈折力を強くする必要があり、その結果、第３群の構成枚数が増える。よって、小型軽量の達成が困難となる。更に好ましくは、（３）式は次の如く設定するのが良い。
−０．４＜１／β３ｗ＜０．１          ・・・（３ａ）
【００２２】
さらなる本発明のズームレンズの態様として、広画角化と高い光学性能を達成するための第１群の構成を規定している。第１群は、合焦のためには移動しない固定の負の屈折力の第１１群、無限遠側から至近側への合焦時に像側へ移動する正の屈折力の第１２群、合焦のためには移動しない正の屈折力の第１３群から構成される。第１群の物体側に負の屈折力レンズ群を、第１群の像側に正の屈折力のレンズ群を配置することで、第１群の像側主点を像側に設定し易く、広画角化に有利な構成となる。
【００２３】
さらなる本発明のズームレンズの態様として、第１１群の焦点距離に対する第１２群の焦点距離の比と第１群の焦点距離に対する第１３群の焦点距離の比を規定している。第１１群の焦点距離をｆ１１、第１２群の焦点距離をｆ１２としたとき、
−２．３＜ｆ１２／ｆ１１＜−１．５      ・・・（４）
を満たしている。（４）式は合焦時における第１２群の移動量の抑制と高性能化を図るために規定している。特に、最至近物体距離が短い（例えば、望遠端の焦点距離及び最至近物体距離をそれぞれｍｍ単位で表したとき、望遠端の焦点距離に対する最至近物体距離の比が１０より小さい）ズームレンズに対して有効である。（４）式の上限の条件が満たされないと、第１１群の屈折力が弱くなり、合焦時における第１２群の移動量が大きくなり、ズームレンズの小型軽量化に不利である。逆に、（４）式の下限の条件が満たされないと、第１１群の屈折力が強くなり、その結果、第１２群の正の屈折力が強くなり、良好な光学性能を達成することが困難となる。更に好ましくは、（４）式は次の如く設定するのが良い。
−２．１＜ｆ１２／ｆ１１＜−１．８      ・・・（４ａ）
【００２４】
さらに、第１３群の焦点距離をｆ１３としたとき、
０．９＜ｆ１３／ｆ１＜１．５            ・・・（５）（５）式は小型軽量化と高性能化を図るために規定している。（５）式の上限の条件が満たされないと、第１３群の屈折力が弱くなり、第１１群や第１２群の径の抑制が困難となる。その結果、ズームレンズの小型軽量化に不利となる。逆に、（５）式の下限の条件が満たされないと、第１３群の屈折力が強くなるため、第１３群を構成する各レンズの曲率半径が小さくなることにより、高次収差や歪曲収差の増大、構成枚数の増加を招き、小型軽量化と良好な光学性能の両立が困難となる。更に好ましくは、（５）式は次の如く設定するのが良い。
０．９５＜ｆ１３／ｆ１＜１．４５        ・・・（５ａ）
【００２５】
さらなる本発明のズームレンズの態様として、第１１群の構成及び第１１群内に使用する光学材料の分散を規定している。
第１１群は１枚以上の凸レンズと１枚以上の凹レンズから構成され、第１１群を構成する凸レンズのアッベ数の平均値をν１１ｐ、凹レンズのアッベ数の平均値をν１１ｎとしたとき、
１８＜ν１１ｎ−ν１１ｐ＜４５          ・・・（６）
を満たしている。
【００２６】
（６）式は合焦時の色収差の変動を抑制しつつ、良好な光学性能を達成するための条件を規定している。現存する光学材料は、アッベ数νｄが大きいほど屈折率が小さい傾向を持っており、（６）式の上限の条件が満たされないと、第１１群を構成する凹レンズの屈折率が低くなる。その結果、各レンズの曲率半径が小さくなり、高次収差の補正が困難となる。逆に（６）式の下限の条件が満たされないと、第１１群を構成する凸レンズ及び凹レンズの屈折力が強くなるため、高次収差が発生し、その残存収差の補正が困難となる。また、合焦時の色収差の変動が大きくなり、全フォーカス領域に渡り高い光学性能を達成することが困難となる。更に好ましくは、（６）式は次の如く設定するのが良い。
２５＜ν１１ｎ−ν１１ｐ＜３８          ・・・（６ａ）
【００２７】
さらなる本発明のズームレンズの態様として、第１１群の最も物体側のレンズの形状を規定している。第１１群の最も物体側のレンズは凹レンズであり、物体側の面の曲率半径をＲ１、像側の面の曲率半径をＲ２としたとき、
−０．５＜（Ｒ１＋Ｒ２）／（Ｒ１−Ｒ２）＜２．５  ・・・（７）
の満たしている。
【００２８】
（７）式は、広画角化及び広角端の軸外収差、特にディストーションを良好に補正するために規定している。
三次収差論では、ディストーションの収差係数Ｖは軸上近軸光線高Ｈの１乗、瞳近軸光線高Ｈ’の３乗に比例する。広角端における瞳近軸光線高は、第１１群の中でも最も物体側のレンズで高くなるため、広角端におけるディストーションを良好に補正するためには、第１１群の最も物体側のレンズＧ１の形状を適切に設定する必要がある。ここで、Ｇ１の物体側の面をｒ１面、像側の面をｒ２面と定義する。Ｇ１のｒ１面が凹面になり、その曲率半径が小さくなると、ｒ１面への入射角度が大きくなり、樽型のディストーションが大きく発生する。そのため、広角端における樽型のディストーションの補正が困難となる。
（７）式の上限の条件が満たされないと、Ｇ１の形状が、ｒ１面が凸面でｒ２面が凹面のメニスカス形状となり、さらにｒ１面とｒ２面の曲率半径の差が小さくなるため、レンズの負の屈折力が弱くなる。その結果、第１群の像側主点を像側に設定しにくくなり、広画角化に不利である。逆に（７）式の下限の条件が満たされないと、ｒ１面が凹面となり、さらに曲率半径が小さくなるので、広角端における樽型のディストーションの補正が困難となる。更に好ましくは、（７）式は次の如く設定するのが良い。
０．５＜（Ｒ１＋Ｒ２）／（Ｒ１−Ｒ２）＜２．０  ・・・（７ａ）
【００２９】
さらなる本発明のズームレンズの態様として、第１３群の構成及び第１３群内に使用する光学材料の部分分散比を規定している。第１３群は２枚以上の凸レンズと１枚以上の凹レンズから構成され、第１３群を構成する凸レンズのアッベ数と部分分散比の平均値をν１３ｐ、θ１３ｐ、凹レンズのアッベ数と部分分散比の平均値をν１３ｎ、θ１３ｎとしたとき、
−２．５×１０−３＜（θ１３ｐ−θ１３ｎ）／（ν１３ｐ−ν１３ｎ）
＜−５．０×１０−４  ・・・（８）
の条件式を満たしている。
【００３０】
ここで、本発明で用いている光学素子（レンズ）の材料のアッベ数と部分分散比は以下の通りである。フラウンフォーファ線のｇ線（４３５．８ｎｍ）、Ｆ線（４８６．１ｎｍ）、ｄ線（５８７．６ｎｍ）、Ｃ線（６５６．３ｎｍ）における屈折率をそれぞれＮｇ、ＮＦ、Ｎｄ、ＮＣとすると、アッベ数νｄ、ｇ線とＦ線に関する部分分散比θｇＦは以下の通りである。
νｄ＝（Ｎｄ−１）／（ＮＦ−ＮＣ）            ・・・（ア）
θｇＦ＝（Ｎｇ−ＮＦ）／（ＮＦ−ＮＣ）        ・・・（イ）
【００３１】
現存する光学材料は、アッベ数νｄに対して部分分散比θｇＦは狭い範囲に存在する。また、アッベ数νｄが小さいほど部分分散比θｇＦが大きい傾向を持っている。ここで、屈折力φ１、φ２、アッベ数ν１、ν２の２枚のレンズ１、２で構成される薄肉密着系の色収差補正条件は、
φ１／ν１＋φ２／ν２＝Ｅ                    ・・・（ウ）
で表される。ここで、レンズ１、２の合成屈折力φは、
φ＝φ１＋φ２                                ・・・（エ）
である。（ウ）式において、Ｅ＝０を満たすと、色収差においてＣ線とＦ線の結像位置が一致する。このとき、φ１、φ２は以下の式で表される。
【００３２】
φ１＝φ×ν１／（ν１−ν２）                ・・・（オ）
φ２＝φ×ν２／（ν１−ν２）                ・・・（カ）
図１６は正の屈折力のレンズ群ＬＰによる軸上色収差の２色の色消しと２次スペクトルの残存に関する模式図である。図１６において、正レンズ１にアッベ数ν１の大きい材料、負レンズ２にアッベ数ν２の小さい材料を用いる。したがって、正レンズ１は部分分散比θ１が小さく、負レンズ２は部分分散比θ２が大きくなり、Ｃ線とＦ線で軸上色収差を補正するとｇ線の結像点が像側にずれる。物体距離を無限遠として光束を入射した場合の軸上色収差のズレ量を２次スペクトル量ΔＳと定義すると、
ΔＳ＝−（１／φ）×（θ１−θ２）／（ν１−ν２）  ・・・（キ）
で表される。一方、図１７のような負レンズ群ＬＮの色消しでは、負レンズ１にアッベ数ν１の大きい材料、正レンズ２にアッベ数ν２の小さい材料を用いる。したがって、負レンズ１は部分分散比θ１が小さく、正レンズ２は部分分散比θ２が大きい。この場合は図１７のように、Ｃ線とＦ線で色収差を補正するとｇ線の結像点が物体側にずれる。望遠端の軸上色収差の２次スペクトルを良好に補正するには、２次スペクトルが顕著に発生する第１３群及び第２群の発生量を調節する必要がある。第１３群は正の屈折力を持っており、望遠端の軸上色収差の２次スペクトルを良好に補正するためには、第１３群で発生する２次スペクトル量ΔＳを小さくするような硝材を選択する必要がある。また、第２群は負の屈折力を持っており、第２群において２次スペクトル量ΔＳを大きくするような硝材を選択することで、第１群で発生した軸上色収差の二次スペクトルを効果的に補正することができる。
【００３３】
図１８は物体面と絞りの間にある正の屈折力のレンズ群ＬＰによる倍率色収差の２色の色消しと２次スペクトル残存に関する模式図である。前述したように、正レンズ１にアッベ数ν１の大きい材料、負レンズ２にアッベ数ν２の小さい材料を用いる。したがって、正レンズ１は部分分散比θ１が小さく、負レンズ２は部分分散比θ２が大きくなり、Ｃ線とＦ線で倍率色収差を補正するとｇ線の結像点が光軸に近づく方向にずれる。倍率色収差のズレ量を２次スペクトル量ΔＹと定義すると、
ΔＹ＝（１／φ）×（θ１−θ２）／（ν１−ν２）  ・・・（ク）
【００３４】
一方、図１９のような負レンズ群ＬＮの色消しでは、負レンズ１にアッベ数ν１の大きい材料、正レンズ２にアッベ数ν２の小さい材料を用いる。したがって、負レンズ１は部分分散比θ１が小さく、正レンズ２は部分分散比θ２が大きい。この場合は、Ｃ線とＦ線で倍率色収差を補正するとｇ線の結像点が光軸から離れる方向にずれる。広角端の倍率色収差の２次スペクトルを良好に補正するには、第１３群及び第２群の発生量を調節する必要がある。第１３群は正の屈折力を持っており、広角端の倍率色収差の２次スペクトルを良好に補正するには、第１３群で発生する２次スペクトル量ΔＹを大きくするような硝材を選択する必要がある。また、第２群は負の屈折力を持っており、第２群において２次スペクトル量ΔＹを小さくするような硝材を選択する必要がある。
【００３５】
（８）式の条件は、広角端の倍率色収差及び望遠端の軸上色収差を良好に補正するために規定している。（８）式の上限の条件が満たされないと、望遠端の軸上色収差の２次スペクトルの補正には有利だが、広角端の倍率色収差の２次スペクトルが増加し、ズーム全域に渡り高い光学性能の達成が困難となる。逆に（８）式の下限の条件が満たされないと、広角端の倍率色収差の２次スペクトルの補正には有利だが、望遠端の軸上色収差の２次スペクトルが増加し、ズーム全域に渡り高い光学性能の達成が困難となる。更に好ましくは、（８）式は次の如く設定するのが良い。
−２．０×１０−３＜（θ１３ｐ−θ１３ｎ）／（ν１３ｐ−ν１３ｎ）
＜−１．０×１０−３    ・・・（８ａ）
【００３６】
さらなる本発明のズームレンズの態様として、第２群の構成及び第２群内に使用する光学材料の部分分散比を規定している。第２群は１枚以上の凸レンズと２枚以上の凹レンズから構成され、第２群を構成する凸レンズのアッベ数と部分分散比の平均値をν２ｐ、θ２ｐ、凹レンズのアッベ数と部分分散比の平均値をν２ｎ、θ２ｎとしたとき、
−３．５×１０−３＜（θ２ｐ−θ２ｎ）／（ν２ｐ−ν２ｎ）＜−１．５×１０−３
・・・（９）
を満たしている。
【００３７】
この条件は、広角端の倍率色収差及び望遠端の軸上色収差を良好に補正するために規定している。（９）式の上限の条件が満たされないと、広角端の倍率色収差の２次スペクトルの補正には有利だが、望遠端の軸上色収差の２次スペクトルが増加し、ズーム全域に渡り高い光学性能の達成が困難となる。逆に（９）式の下限の条件が満たされないと、望遠端の軸上色収差の２次スペクトルの補正には有利だが、広角端の倍率色収差の２次スペクトルが増加し、ズーム全域に渡り高い光学性能の達成が困難となる。更に好ましくは、（９）式は次の如く設定するのが良い。
−３．０×１０−３＜（θ２ｐ−θ２ｎ）／（ν２ｐ−ν２ｎ）＜−２．０×１０−３
・・・（９ａ）
【００３８】
さらなる本発明のズームレンズの態様として、広画角化を達成するための第１１群の構成を規定している。第１１群は１枚の凸レンズと２枚以上の凹レンズから構成され、該第１１群の最も像側のレンズは凸レンズから構成される。第１１群の物体側に負の屈折力のレンズ群を、第１１群の像側に正の屈折力のレンズ群を配置することで、第１群の像側主点を像側に設定し易く、広画角化に有利な構成となる。
さらなる本発明のズームレンズの態様として、第１１群の焦点距離に対する第１１群内の凸レンズ、凹レンズの焦点距離の比を規定している。第１１群内の凸レンズの合成焦点距離をｆ１１ｐ、凹レンズの合成焦点距離をｆ１１ｎとしたとき、
−３．５＜ｆ１１ｐ／ｆ１１＜−１．５    ・・・（１０）
０．５＜ｆ１１ｎ／ｆ１１＜０．８        ・・・（１１）
を満たしている。
【００３９】
この条件は広画角化と小型軽量化の両立に加え、良好な光学性能を達成するために規定している。（１０）式の上限の条件が満たされないと、第１１群の正の屈折力のレンズの曲率半径が小さくなることによって高次収差が増大し、良好な光学性能の達成が困難となる。逆に、（１０）式の下限の条件が満たされないと、第１１群の正の屈折力が弱くなり、その結果、第１１群の負の屈折力も弱くなり、十分な広画角化の効果を得ることが困難となる。
【００４０】
（１１）式の上限の条件が満たされないと、第１１群の負の屈折力が不足し、十分な広画角化の効果を得ることが困難となる。逆に、（１１）式の下限の条件が満たされないと、負の屈折力のレンズの曲率半径が小さくなることによる高次収差の増大や、構成枚数やレンズ重量の増加を招き、小型軽量化と良好な光学性能の両立が困難となる。更に好ましくは、（１０）式は次の如く設定するのが良い。
−３．２＜ｆ１１ｐ／ｆ１１＜−２．０      ・・・（１０ａ）
【００４１】
更に好ましくは、（１１）式は次の如く設定するのが良い。
０．６０＜ｆ１１ｎ／ｆ１１＜０．７５      ・・・（１１ａ）
【００４２】
さらに本発明の撮像装置は、各実施例のズームレンズとズームレンズによって形成された像を受光する所定の有効撮像範囲を有する固体撮像素子を有することを特徴とする。
以下に本発明のズームレンズの具体的な構成について、実施例１〜７に対応する数値実施例１〜７のレンズ構成の特徴により説明する。
【実施例１】
【００４３】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離４０ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００４４】
図１において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００４５】
第２群Ｕ２と第３群Ｕ３とで変倍系を構成している。ＳＰは開口絞りであり、第４群Ｕ４の物体側に配置されている。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００４６】
縦収差図において、球面収差における直線と一点鎖線と点線は各々ｅ線、ｇ線、Ｃ線である。非点収差における点線と実線は各々メリディオナル像面，サジタル像面であり、倍率色収差における一点鎖線と点線は各々ｇ線、Ｃ線である。ωは半画角、ＦｎｏはＦナンバーである。
【００４７】
縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２群Ｕ２が機構に対して光軸上を移動可能な範囲の両端に位置したときのズーム位置を指す。
【００４８】
次に、本実施例における第１群Ｕ１について説明する。第１群Ｕ１は第１面から第１７面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、物体側に凸のメニスカス凹レンズＧ１と両凹レンズＧ２、像側に凸のメニスカス凹レンズＧ３、像側に凹のメニスカス凸レンズＧ４で構成される。また、第１２群Ｕ１ｂは、両凸レンズＧ５で構成される。第１３群Ｕ１ｃは物体側に凸のメニスカス凹レンズＧ６と像側に凹のメニスカス凸レンズＧ７を接合した接合レンズ、両凸レンズＧ８、像側に凹のメニスカス凸レンズＧ９で構成される。第２群Ｕ２は、物体側に凸のメニスカス凹レンズ、両凹レンズと像側に凹のメニスカス凸レンズとの接合レンズ、像側に凸のメニスカス凹レンズから構成される。また、第３群Ｕ３は、凸レンズと凹レンズを含み、全体として３個のレンズから成っている。第４群Ｕ４は、凸レンズと凹レンズを含み、全体として６個のレンズから成っている。
【００４９】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【００５０】
【数１】
0005882817.tif 000002
【００５１】
また、本実施例の広角端において、無限遠物体に合焦したときの、各光学面（レンズ面）における軸上近軸光線高Ｈ、軸上近軸光線と光軸のなす角度α、瞳近軸光線高Ｈ’、瞳近軸光線と光軸のなす角度α’も合わせて数値実施例に示す。さらに、本実施例の広角端において、無限遠物体に合焦したときの３次のディストーションの収差係数Ｖの各面における分担値を示している。ここで、軸上近軸光線（近軸軸上光線）とは、光学系全系の広角端の焦点距離を１に規格化した場合に、光学系に光軸と平行に、入射高を１として入射させた近軸光線（光軸と平行な状態で最も物体側の面の光軸近傍の位置に入射する光線のうち像面位置において光軸を通過する光線）のことである。また、数値実施例の表に示しているのは、各光学面における、その軸上近軸光線の高さ（光軸からの距離）と、各光学面への入射角である。また、瞳近軸光線は、光学系全系の広角端の焦点距離を１に規格化し、像面（撮像素子の受光面）の最大像高に入射する光線の内、光学系の入射瞳と光軸との交点を通過する近軸光線である。数値実施例の表に示しているのは、各光学面におけるこの瞳近軸光線の高さ（光軸からの距離）と、各光学面への入射角である。
【００５２】
本実施例の各条件式対応値を表１に示す。
本実施例は（１）〜（１１）式を満足しており、２．６０倍の高ズーム比で広角端における撮影画角（画角）６３．７６°と広画角化を達成している。
また、瞳近軸光線高の最も高い１面の収差係数（３次のディストーションの収差係数）Ｖを適切な範囲に設定することで、広角端の樽型のディストーションを効果的に補正している。この瞳近軸光線高が最も高い面（レンズ面）における３次のディストーションの収差係数Ｖの値Vdisは、
−０．５  ＜  Vdis  ＜  １．５      ・・・（１２）
を満足することが望ましい。更には、
０．１  ＜  Vdis  ＜  １．０      ・・・（１２ａ）
を満足すると尚良い。
且つズーム全域において諸収差を良好に補正した高い光学性能を有するズームレンズを達成している。しかしながら、本発明のズームレンズは、（１）、（２）、（３）式を満足することは必須であるが、（４）〜（１２）式については満足していなくても構わない。但し、（４）〜（１２）式について少なくとも１つでも満足していれば更に良い効果を奏することができる。これは他の実施例についても同様である。
【００５３】
図２０は各実施例のズームレンズを撮影光学系として用いた撮像装置（テレビカメラシステム）の概略図である。図２０において１０１は実施例１〜７のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第４群Ｒを有している。第１群Ｆは合焦用レンズ群が含まれている。変倍部ＬＺは変倍のために光軸上を移動する第２群と、変倍に伴う像面変動を補正するために光軸上を移動する第３群が含まれている。ＳＰは開口絞りである。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
このように、本発明のズームレンズをテレビカメラに適用することにより、高い光学性能を有する撮像装置を実現している。
【実施例２】
【００５４】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離５０ｍｍ、（ｃ）は数値実施例２の望遠端の縦収差図を示している。いずれの収差図も、無限遠に合焦しているときの縦収差図である。
【００５５】
図３において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００５６】
次に、本実施例における第１群Ｕ１について説明する。第１群Ｕ１は第１面から第１５面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、物体側に凸のメニスカス凹レンズＧ１と両凹レンズＧ２、両凸レンズＧ３で構成される。また、第１２群Ｕ１ｂは、両凸レンズＧ４で構成される。第１３群Ｕ１ｃは物体側に凸のメニスカス凹レンズＧ５と両凸レンズＧ６を接合した接合レンズ、両凸レンズＧ７、像側に凹のメニスカス凸レンズＧ８で構成される。第２群Ｕ２は、物体側に凸のメニスカス凹レンズ、両凹レンズ、像側に凹のメニスカス凸レンズ、両凹レンズから構成される。また、第３群Ｕ３は、凸レンズと凹レンズを含み、全体として３個のレンズから成っている。第４群Ｕ４は、凸レンズと凹レンズを含み、全体として６個のレンズから成っている。
【００５７】
本実施例の各条件式対応値を表１に示す。
本実施例は（１）〜（１１）式を満足しており、２．６７倍の高ズーム比で広角端における撮影画角（画角）５４．８０°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【実施例３】
【００５８】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離７０ｍｍ、（ｃ）は数値実施例３の望遠端の縦収差図を示している。いずれの収差図も、無限遠に合焦しているときの縦収差図である。
【００５９】
図５において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００６０】
次に、本実施例における第１群Ｕ１について説明する。第１群Ｕ１は第１面から第１７面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、両凹レンズＧ１と像側に凹のメニスカス凸レンズＧ２との接合レンズ、両凹レンズＧ３で構成される。また、第１２群Ｕ１ｂは、物体側に凸のメニスカス凹レンズＧ４と両凸レンズＧ５との接合レンズで構成される。第１３群Ｕ１ｃは物体側に凸のメニスカス凹レンズＧ６、両凸レンズＧ７、両凸レンズＧ８、像側に凹のメニスカス凸レンズＧ９で構成される。第２群Ｕ２は、物体側に凸のメニスカス凹レンズ、両凹レンズ、両凸レンズ、両凹レンズから構成される。また、第３群Ｕ３は、凸レンズと凹レンズを含み、全体として３個のレンズから成っている。第４群Ｕ４は、凸レンズと凹レンズを含み、全体として６個のレンズから成っている。
【００６１】
本実施例の各条件式対応値を表１に示す。
本実施例は（１）〜（９）式を満足しており、３．００倍の高ズーム比で広角端における撮影画角（画角）４２．４８°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【実施例４】
【００６２】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離８０ｍｍ、（ｃ）は数値実施例４の望遠端の縦収差図を示している。いずれの収差図も、無限遠に合焦しているときの縦収差図である。
【００６３】
図７において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００６４】
次に、本実施例における第１群Ｕ１について説明する。第１群Ｕ１は第１面から第１７面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、両凹レンズＧ１、像側に凹のメニスカス凸レンズＧ２、両凹レンズＧ３で構成される。また、第１２群Ｕ１ｂは、両凸レンズＧ４と像側に凸のメニスカス凹レンズＧ５の接合レンズで構成される。第１３群Ｕ１ｃは物体側に凸のメニスカス凹レンズＧ６、両凸レンズＧ７、像側に凹のメニスカス凸レンズＧ８、像側に凹のメニスカス凸レンズＧ９で構成される。第２群Ｕ２は、物体側に凸のメニスカス凹レンズ、両凹レンズ、両凸レンズ、両凹レンズから構成される。また、第３群Ｕ３は、凸レンズと凹レンズを含み、全体として３個のレンズから成っている。第４群Ｕ４は、凸レンズと凹レンズを含み、全体として６個のレンズから成っている。
【００６５】
本実施例の各条件式対応値を表１に示す。
本実施例は（１）〜（９）式を満足しており、３．１１倍の高ズーム比で広角端における撮影画角（画角）３８．１２°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【実施例５】
【００６６】
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離７０ｍｍ、（ｃ）は数値実施例５の望遠端の縦収差図を示している。いずれの収差図も、無限遠に合焦しているときの縦収差図である。
【００６７】
図９において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００６８】
次に、本実施例における第１群Ｕ１について説明する。第１群Ｕ１は第１面から第１４面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、物体側に凸のメニスカス凹レンズＧ１と像側に凸のメニスカス凹レンズＧ２、像側に凹のメニスカス凸レンズＧ３で構成される。また、第１２群Ｕ１ｂは、物体側に凸のメニスカス凹レンズＧ４、両凸レンズＧ５で構成される。第１３群Ｕ１ｃは物体側に凸のメニスカス凹レンズＧ６と両凸レンズＧ７を接合した接合レンズ、像側に凹のメニスカス凸レンズＧ８で構成される。第２群Ｕ２は、物体側に凸のメニスカス凹レンズ、両凹レンズと像側に凹のメニスカス凸レンズとの接合レンズ、両凹レンズから構成される。また、第２１面は非球面形状である。第２１面は主に広角側の像面湾曲の補正を行っている。第３群Ｕ３は、凸レンズと凹レンズを含み、全体として３個のレンズから成っている。第４群Ｕ４は、凸レンズと凹レンズを含み、全体として６個のレンズから成っている。
【００６９】
本実施例の各条件式対応値を表１に示す。
本実施例は（１）〜（１１）式を満足しており、５．００倍の高ズーム比で広角端における撮影画角（画角）５４．８０°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【実施例６】
【００７０】
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離６０ｍｍ、（ｃ）は数値実施例６の望遠端の縦収差図を示している。いずれの収差図も、無限遠に合焦しているときの縦収差図である。
【００７１】
図１１において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００７２】
次に、本実施例における第１群Ｕ１について説明する。第１群Ｕ１は第１面から第１３面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、両凹レンズＧ１と像側に凸のメニスカス凹レンズＧ２、像側に凹のメニスカス凸レンズＧ３で構成される。また、第１２群Ｕ１ｂは、両凸レンズＧ４で構成される。第１３群Ｕ１ｃは物体側に凸のメニスカス凹レンズＧ５と両凸レンズＧ６を接合した接合レンズ、像側に凹のメニスカス凸Ｇ７で構成される。第２群Ｕ２は、物体側に凸のメニスカス凹レンズ、両凹レンズ、像側に凹のメニスカス凸レンズ、両凹レンズから構成される。また、第３群Ｕ３は、凸レンズと凹レンズを含み、全体として３個のレンズから成っている。第４群Ｕ４は、凸レンズと凹レンズを含み、全体として６個のレンズから成っている。
【００７３】
本実施例の各条件式対応値を表１に示す。
本実施例は（１）〜（１１）式を満足しており、２．８６倍の高ズーム比で広角端における撮影画角（画角）４７．９０°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【実施例７】
【００７４】
図１３は本発明の実施例７（数値実施例７）であるズームレンズにおいて、広角端で無限遠に合焦しているときのレンズ断面図である。図１４において、（ａ）は数値実施例７の広角端、（ｂ）は数値実施例７の焦点距離２１ｍｍ、（ｃ）は数値実施例７の望遠端の縦収差図を示している。いずれの収差図も、無限遠に合焦しているときの縦収差図である。
【００７５】
図１３において、物体側から順に、合焦用の正の屈折力の第１群（フォーカスレンズ群）Ｕ１を有している。さらに、広角端から望遠端への変倍に際して、像側へ移動する変倍用の負の屈折力の第２群（バリエータ）Ｕ２を有している。さらに、第２群Ｕ２の移動に連動して光軸上を非直線的に移動し、変倍に伴う像面変動を補正する正の屈折力の第３群（コンペンセータ）Ｕ３を有している。さらに、変倍のためには移動しない結像作用をする正の屈折力の第４群（リレーレンズ群）Ｕ４を有している。
【００７６】
次に、本実施例における第１群Ｕ１について説明する。第１群Ｕ１は第１面から第１７面に対応する。第１群Ｕ１は、合焦のためには移動しない負の屈折力の第１１群Ｕ１ａ、無限遠側から至近側への合焦時に像側へ移動する正の屈折力の第１２群Ｕ１ｂ、合焦のためには移動しない正の屈折力の第１３群Ｕ１ｃから構成される。第１１群Ｕ１ａは、物体側から順に、物体側に凸のメニスカス凹レンズＧ１と物体側に凸のメニスカス凹レンズＧ２、像側に凸のメニスカス凹レンズＧ３、像側に凹のメニスカス凸レンズＧ４で構成される。また、第１２群Ｕ１ｂは、両凸レンズＧ５で構成される。第１３群Ｕ１ｃは両凹レンズＧ６と両凸レンズＧ７を接合した接合レンズ、両凸レンズＧ８、像側に凹のメニスカス凸レンズＧ９で構成される。また、第１面は非球面形状である。第１面は主に広角側の歪曲収差の補正を行っている。第２群Ｕ２は、物体側に凸のメニスカス凹レンズ、両凹レンズと両凸レンズとの接合レンズ、像側に凸のメニスカス凹レンズから構成される。また、第３群Ｕ３は、凸レンズと凹レンズを含み、全体として３個のレンズから成っている。第４群Ｕ４は、凸レンズと凹レンズを含み、全体として７個のレンズから成っている。
【００７７】
本実施例の各条件式対応値を表１に示す。
本実施例は（１）〜（３）、（６）〜（９）、（１１）式を満足しており、２．８６倍の高ズーム比で広角端における撮影画角（画角）９６．００°と広画角化を達成している。また、瞳近軸光線高の最も高い１面の収差係数Ｖを適切な範囲に設定することで、広角端の樽型のディストーションを効果的に補正している。且つズーム全域において諸収差を良好に補正した高い光学性能を有するズームレンズを達成している。
【００７８】
以上、本発明の好ましい実施形態について説明したが、本発明はこれらの実施形態に限定されず、その要旨の範囲内で種々の変形及び変更が可能である。
【００７９】
＜数値実施例１＞
単位 mm
面データ
第i面       ri         di       ndi     νdi      θgFi      有効径   焦点距離
1      113.35495   2.10000  1.772499   49.60    0.5521     62.167    -84.555
2       41.22933  12.22908                                 54.489           
3     -380.22797   2.00000  1.589130   61.14    0.5406     54.058   -131.963
4       98.39664   7.84168                                 52.642           
5      -92.86928   2.00000  1.589130   61.14    0.5406     52.633   -222.909
6     -316.72478   2.50000                                 53.594           
7      105.42501   5.54987  1.805181   25.42    0.6161     57.774    148.201
8      825.97252   1.71834                                 58.025           
9      160.20088   9.37829  1.496999   81.54    0.5374     59.154    122.738
10      -97.05090  10.36281                                 59.275           
11      161.98385   2.00000  1.805181   25.42    0.6161     55.212    -83.312
12       47.48212   9.70418  1.496999   81.54    0.5374     53.020     99.816
13      969.23400   0.15372                                 52.875           
14       86.41375   9.27635  1.487490   70.23    0.5300     52.555    106.410
15     -126.27409   0.15372                                 51.902           
16       64.28015   5.18222  1.729157   54.68    0.5444     47.224    123.534
17      214.49049    (可変)                                 45.879           
18      154.04994   1.15291  1.772499   49.60    0.5521     24.596    -40.274
19       25.90238   4.64707                                 22.567           
20      -76.38966   1.07605  1.589130   61.14    0.5406     22.637    -35.603
21       29.22191   3.45874  1.846660   23.78    0.6034     23.277     38.757
22      233.70320   3.39659                                 23.278           
23      -27.39565   0.99919  1.589130   61.14    0.5406     23.321    -88.730
24      -58.09515    (可変)                                 24.239           
25     -143.82535   3.02257  1.589130   61.14    0.5406     25.120    138.124
26      -52.50607   0.10376                                 25.713           
27       70.73807   5.74776  1.496999   81.54    0.5374     26.247     48.232
28      -35.43497   1.07605  1.834000   37.16    0.5775     26.236    -74.678
29      -82.65359    (可変)                                 26.592           
30(絞り)    ∞      6.80013                                 26.476           
31       26.04181   4.38025  1.651597   58.55    0.5426     26.346     74.782
32       51.97292   6.78396                                 25.274           
33      296.75559   3.92358  1.846660   23.78    0.6205     22.972     41.104
34      -39.62446   1.03762  1.720467   34.70    0.5834     22.429    -21.464
35       25.93030  10.00000                                 20.836           
36       52.04781  10.35747  1.496999   81.54    0.5374     27.625     30.287
37      -19.85686   1.03762  1.720467   34.70    0.5834     28.256    -47.764
38      -47.53798   0.20000                                 30.269           
39       57.39627   4.98220  1.438750   94.93    0.5343     31.721    112.479
40     -348.94714  49.43659                                 31.777           
像面        ∞   
各種データ
ズーム比      2.60 
広角     中間     望遠
焦点距離      25.00    40.00    65.00  
Fナンバー      2.60     2.60     2.60  
半画角        31.88    21.24    13.45  
像高          15.55    15.55    15.55  
レンズ全長   239.92   239.92   239.92  
BF            49.44    49.44    49.44  
d17            2.00    18.21    28.40  
d24           23.15    14.96     1.50  
d29            9.00     0.97     4.25  
入射瞳位置    48.49    63.91    79.56  
射出瞳位置   -78.87   -78.87   -78.87  
前側主点位置  68.62    91.44   111.63  
後側主点位置  24.44     9.44   -15.56  
ズームレンズ群データ
群  始面    焦点距離  レンズ構成長  前側主点位置  後側主点位置
1    1      46.50        82.15        52.36         26.10
2   18     -24.00        14.73         3.80         -7.34
3   25      67.50         9.95         3.01         -3.44
4   30      69.21        49.50        32.84        -16.37
合焦時の第12群の移動量(物体側から像側の方向を正とする)
群     無限遠    最至近(0.6m)
12群     0          8.83
近軸追跡値（広角端）
面番号  α       H        α’      H ’
1       0.0000   1.0000  -1.0000  -1.9396 
2       0.1712   0.9919  -1.3320  -1.8766 
3      -0.2957   1.1365  -0.4488  -1.6570 
4      -0.3399   1.1536  -0.3844  -1.6377 
5      -0.5132   1.3146  -0.1383  -1.5944 
6      -0.7225   1.3509   0.1156  -1.6002 
7      -0.6594   1.4169   0.0409  -1.6043 
8      -0.3864   1.4642  -0.2683  -1.5714 
9      -0.4224   1.4932  -0.2296  -1.5556 
10     -0.3063   1.5699  -0.3506  -1.4678 
11     -0.1047   1.6133  -0.5391  -1.2444 
12      0.0976   1.6090  -0.6952  -1.2137 
13     -0.1685   1.6526  -0.4944  -1.0856 
14     -0.1898   1.6538  -0.4804  -1.0827 
15      0.0443   1.6428  -0.6337  -0.9248 
16      0.2034   1.6415  -0.7232  -0.9203 
17      0.6709   1.5612  -0.9853  -0.8024 
18      0.5376   1.5182  -0.9168  -0.7291 
19      0.7289   1.4993  -1.0087  -0.7029 
20     -0.3943   1.5726  -0.4821  -0.6133 
21     -0.6987   1.5915  -0.3634  -0.6034 
22     -0.3398   1.6168  -0.4995  -0.5662 
23     -0.4877   1.6831  -0.4477  -0.5054 
24     -1.3961   1.7182  -0.1750  -0.5010 
25     -0.9588   2.6059  -0.3025  -0.2209 
26     -1.2267   2.6991  -0.2798  -0.1997 
27     -0.4666   2.7010  -0.3360  -0.1983 
28      0.0092   2.6996  -0.3709  -0.1414 
29     -0.6400   2.7146  -0.3369  -0.1335 
30      0.0491   2.6969  -0.3708   0.0000 
31      0.0491   2.6835  -0.3708   0.1009 
32      1.7346   2.4998  -0.3075   0.1334 
33      0.9479   2.2426  -0.3494   0.2282 
34      1.1094   2.1487  -0.3330   0.2564 
35      1.2852   2.1178  -0.3120   0.2639 
36     -0.1959   2.1962  -0.4966   0.4626 
37      0.3299   2.1050  -0.3859   0.5692 
38     -0.2715   2.1115  -0.5485   0.5824 
39      0.5340   2.1072  -0.3263   0.5851 
40      0.9377   1.9775  -0.2142   0.6147
３次のディストーションの収差係数（広角端）
面番号  V
1      0.2962 
2      0.3301 
3      0.0824 
4      0.0442 
5     -0.0127 
6      0.0040 
7     -0.1027 
8     -0.0111 
9     -0.0010 
10    -0.3904 
11     0.0935 
12     0.0313 
13    -0.0923 
14     0.0262 
15    -0.5358 
16     0.1418 
17    -0.6554 
18     0.6194 
19     0.0488 
20     0.1973 
21    -0.0217 
22    -0.0841 
23     0.3707 
24    -0.0661 
25     0.0533 
26    -0.0979 
27     0.0388 
28     0.0415 
29    -0.1169 
30     0.0000 
31     0.1338 
32    -0.0909 
33     0.0737 
34    -0.0002 
35    -0.3877 
36     0.3154 
37    -0.0556 
38    -0.0027 
39     0.1134 
40    -0.0061
【００８０】
＜数値実施例２＞
単位 mm
面データ
第i面       ri         di       ndi     νdi      θgFi      有効径   焦点距離
1      569.09377   2.50000  1.772499   49.60    0.5521     60.901    -70.246
2       49.66287  13.37511                                 54.777           
3      -79.91880   2.30000  1.589130   61.14    0.5406     54.739   -112.798
4      408.02306   3.09406                                 56.294           
5      112.28112   7.70636  1.720467   34.70    0.5834     58.902    119.452
6     -368.60510   2.00000                                 59.446           
7      206.34761   8.86325  1.496999   81.54    0.5374     60.794    149.796
8     -115.33272  15.73443                                 60.953           
9      147.60148   2.40000  1.846660   23.78    0.6205     56.869   -102.392
10       54.54195  10.13325  1.487490   70.23    0.5300     54.911    101.597
11     -525.18292   0.19000                                 54.771           
12      105.32160   6.29682  1.589130   61.14    0.5406     54.082    165.676
13    -1375.48863   0.19000                                 53.347      0.000
14       86.03858   6.39104  1.729157   54.68    0.5444     51.176    117.556
15   138926.03827    (可変)                                 49.796           
16       34.99716   1.42500  1.882997   40.76    0.5667     27.336    -72.631
17       22.25354   5.50719                                 25.453           
18      -67.59354   1.33000  1.589130   61.14    0.5406     25.399    -63.016
19       83.68381   1.14000                                 25.514           
20       32.48916   3.50000  1.959060   17.47    0.6599     26.210     60.670
21       68.51665   3.11055                                 25.605           
22      -51.90144   1.23500  1.772499   49.60    0.5521     25.530    -42.723
23       92.79882    (可変)                                 25.855           
24      283.11036   1.33000  1.834000   37.16    0.5775     26.788    -69.257
25       48.12367   5.48001  1.496999   81.54    0.5374     27.275     58.380
26      -70.82342   0.12825                                 28.003           
27       69.02571   3.76292  1.589130   61.14    0.5406     28.973    110.369
28    -1177.06735    (可変)                                 29.045           
29(絞り)    ∞      1.00000                                 29.114           
30       31.40773   5.67589  1.622296   53.20    0.5542     29.291     57.226
31      239.58077  10.00000                                 28.374           
32     -118.60112   4.38050  1.808095   22.76    0.6307     23.562     46.770
33      -29.36460   1.03762  1.720467   34.70    0.5834     23.059    -20.270
34       29.88605  10.00000                                 21.693           
35       84.94267   9.52402  1.496999   81.54    0.5374     28.303     35.324
36      -21.38315   1.03762  1.755199   27.51    0.6103     29.200    -68.341
37      -37.05262   0.20000                                 31.055           
38       63.03441   4.47896  1.589130   61.14    0.5406     32.663    115.819
39      769.33635  55.44627                                 32.591           
像面        ∞   
各種データ
ズーム比      2.67 
広角     中間     望遠
焦点距離      30.00    50.00    80.00  
Fナンバー      2.60     2.60     2.60  
半画角        27.40    17.28    11.00  
像高          15.55    15.55    15.55  
レンズ全長   248.72   248.72   248.72  
BF            55.45    55.45    55.45  
d15            1.59    18.97    29.02  
d23           26.23    17.01     2.73  
d28            9.00     0.84     5.06  
入射瞳位置    54.66    75.54    94.32  
射出瞳位置   -76.32   -76.32   -76.32  
前側主点位置  77.83   106.57   125.75  
後側主点位置  25.45     5.45   -24.55  
ズームレンズ群データ
群  始面    焦点距離  レンズ構成長  前側主点位置  後側主点位置
1    1      54.00        81.17        53.22         25.18
2   16     -25.00        17.25         8.59         -4.20
3   24      82.00        10.70         5.57         -1.25
4   29      71.11        47.33        30.98        -21.43
合焦時の第12群の移動量(物体側から像側の方向を正とする)
群     無限遠    最至近(0.6m)
12群     0          13.73
近軸追跡値（広角端）
面番号   α       H        α’    H ’
1       0.0000   1.0000  -1.0000  -1.8221 
2       0.0409   0.9981  -1.0746  -1.7717 
3      -0.4271   1.1885  -0.2438  -1.6630 
4      -0.6909   1.2218   0.1254  -1.6690 
5      -0.7441   1.2985   0.1979  -1.6894 
6      -0.4924   1.3718  -0.1295  -1.6702 
7      -0.4114   1.3992  -0.2281  -1.6550 
8      -0.3100   1.4604  -0.3480  -1.5863 
9      -0.1207   1.5236  -0.5537  -1.2959 
10      0.1441   1.5174  -0.7789  -1.2623 
11     -0.1613   1.5540  -0.5249  -1.1433 
12     -0.1178   1.5547  -0.5568  -1.1398 
13      0.1441   1.5357  -0.7488  -1.0410 
14      0.1639   1.5347  -0.7623  -1.0362 
15      0.5558   1.4664  -1.0268  -0.9099 
16      0.5556   1.4369  -1.0267  -0.8555 
17      1.6495   1.3954  -1.6780  -0.8133 
18     -0.0212   1.3993  -0.7043  -0.6840 
19     -0.3885   1.4101  -0.5247  -0.6694 
20     -0.6875   1.4363  -0.3828  -0.6549 
21      0.6014   1.4007  -0.9705  -0.5974 
22      0.0054   1.4001  -0.7162  -0.5232 
23     -0.6228   1.4146  -0.4815  -0.5120 
24     -0.9778   2.2694  -0.3530  -0.2034 
25     -0.7759   2.2881  -0.3711  -0.1944 
26     -1.2622   2.4420  -0.3298  -0.1542 
27     -0.7466   2.4452  -0.3624  -0.1527 
28     -0.1180   2.4545  -0.4016  -0.1210 
29     -0.0810   2.4788  -0.4034   0.0000 
30     -0.0810   2.4815  -0.4034   0.0134 
31      1.4006   2.3184  -0.3954   0.0595 
32      1.2191   1.9121  -0.4001   0.1928 
33      0.8242   1.8458  -0.4399   0.2282 
34      0.9959   1.8258  -0.4186   0.2366 
35     -0.3335   1.9370  -0.5909   0.4336 
36      0.0075   1.9354  -0.5146   0.5426 
37     -0.7073   1.9493  -0.7150   0.5566 
38      0.4949   1.9460  -0.3717   0.5591 
39      1.0426   1.8482  -0.2143   0.5792
３次のディストーションの収差係数（広角端）
面番号   V
1      0.5768 
2      0.4525 
3      0.0613 
4      0.0333 
5     -0.2554 
6     -0.0128 
7     -0.0010 
8     -0.4111 
9      0.0773 
10     0.0428 
11    -0.1792 
12     0.0499 
13    -0.4349 
14     0.1649 
15    -1.0577 
16     0.1699 
17     0.1521 
18     0.5928 
19    -0.0178 
20    -0.0567 
21    -0.1937 
22     0.6842 
23    -0.0235 
24     0.0639 
25    -0.0041 
26    -0.0870 
27     0.0510 
28    -0.0988 
29     0.0000 
30     0.1070 
31    -0.0952 
32     0.0706 
33    -0.0001 
34    -0.4815 
35     0.3500 
36    -0.0484 
37     0.0137 
38     0.1642 
39    -0.0145
【００８１】
＜数値実施例３＞
単位 mm
面データ
第i面       ri         di       ndi     νdi      θgFi     有効径   焦点距離
1     -387.64273   2.50000  1.696797   55.53    0.5433     59.898    -59.064
2       46.38826   8.64808  1.755199   27.51    0.6103     55.136     90.636
3      130.00855   5.00033                                 54.147           
4     -198.93482   2.50000  1.589130   61.14    0.5406     54.025   -227.124
5      415.54663   2.50037                                 54.708           
6      136.25286   3.00000  1.805181   25.42    0.6161     56.044   -181.576
7       70.14039  10.81699  1.589130   61.14    0.5406     55.871     89.414
8     -202.60045  13.52988                                 56.141           
9      258.20501   2.85000  1.720467   34.70    0.5834     55.717   -121.610
10       65.44554   0.05688                                 54.938           
11       64.07890  11.55971  1.438750   94.93    0.5343     55.060    100.928
12     -136.54293   0.19000                                 55.179           
13       73.47706   8.63795  1.438750   94.93    0.5343     54.241    141.235
14     -387.57107   0.19000                                 53.439           
15       65.89591   7.11833  1.487490   70.23    0.5300     51.447    152.586
16      542.70635    (可変)                                 50.295           
17       90.34638   1.42500  1.772499   49.60    0.5521     28.500    -43.805
18       24.53389   5.49570                                 26.391           
19      -65.70815   1.33000  1.589130   61.14    0.5406     26.405    -66.841
20       99.97739   1.14000                                 27.051           
21       38.05226   4.85065  1.846660   23.78    0.6205     28.433     43.812
22    -2268.67983   2.38400                                 28.151           
23      -47.60904   1.23500  1.729157   54.68    0.5444     28.068    -45.632
24      113.33972    (可変)                                 28.537           
25      326.79061   1.20000  1.834000   37.16    0.5775     28.981    -91.748
26       62.21608   6.00133  1.496999   81.54    0.5374     29.422     58.799
27      -53.63319   0.20000                                 30.096           
28       67.51788   3.77676  1.651597   58.55    0.5426     30.910    144.366
29      231.53313    (可変)                                 30.738           
30(絞り)    ∞      4.42650                                 30.488           
31       31.66067   9.01039  1.620411   60.29    0.5426     30.269     48.264
32     -530.41808   7.64675                                 28.182           
33      -64.40672   6.07509  1.805181   25.42    0.6161     23.096     46.617
34      -24.86149   1.50000  1.737999   32.26    0.5899     22.128    -17.751
35       28.84693   6.87481                                 22.056           
36     -254.47813   5.67446  1.496999   81.54    0.5374     25.005     50.317
37      -23.00000   1.64526                                 25.938           
38      -22.50692   1.50000  1.772499   49.60    0.5521     26.032    -78.195
39      -36.81350   6.14540                                 27.836           
40       94.65141   5.34629  1.595220   67.74    0.5442     32.702     69.715
41      -72.78282  54.89683                                 33.010           
像面        ∞   
各種データ
ズーム比      3.00 
広角     中間     望遠
焦点距離      40.00    70.00   120.00  
Fナンバー      2.80     2.80     2.80  
半画角        21.24    12.52     7.38  
像高          15.55    15.55    15.55  
レンズ全長   259.93   259.93   259.93  
BF            54.90    54.90    54.90  
d16            1.97    21.72    32.35  
d24           29.08    18.60     1.51  
d29           10.00     0.73     7.20  
入射瞳位置    73.17   113.26   152.33  
射出瞳位置   -92.49   -92.49   -92.49  
前側主点位置 102.31   150.01   174.63  
後側主点位置  14.90   -15.10   -65.10  
ズームレンズ群データ
群  始面    焦点距離  レンズ構成長  前側主点位置  後側主点位置
1    1      68.00        79.10        54.36         10.07
2   17     -25.00        17.86         5.60         -6.93
3   25      74.00        11.18         4.98         -2.11
4   30      88.57        55.84        37.87        -26.32
合焦時の第12群の移動量(物体側から像側の方向を正とする)
群     無限遠    最至近(1.0m)
12群     0          12.03
近軸追跡値（広角端）
面番号   α       H        α’     H ’
1      0.0000   1.0000  -1.0000  -1.8292 
2     -0.0722   1.0027  -0.8679  -1.7972 
3     -0.0187   1.0050  -0.9638  -1.6790 
4     -0.2542   1.0367  -0.5704  -1.6077 
5     -0.3775   1.0516  -0.3792  -1.5928 
6     -0.4374   1.0789  -0.2885  -1.5747 
7     -0.1800   1.0863  -0.6642  -1.5473 
8     -0.3170   1.1402  -0.4690  -1.4676 
9     -0.1839   1.2024  -0.6404  -1.2510 
10    -0.0488   1.2044  -0.7809  -1.2187 
11    -0.5827   1.2053  -0.2406  -1.2184 
12    -0.2518   1.2558  -0.5751  -1.1029 
13    -0.0900   1.2562  -0.7173  -1.0995 
14     0.2108   1.2246  -0.9805  -0.9525 
15     0.2664   1.2233  -1.0238  -0.9476 
16     0.6296   1.1481  -1.3051  -0.7916 
17     0.5882   1.1191  -1.2766  -0.7288 
18     0.9728   1.0996  -1.5271  -0.6982 
19    -0.4188   1.1572  -0.6435  -0.6097 
20    -0.8354   1.1746  -0.4240  -0.6009 
21    -1.1133   1.2063  -0.2818  -0.5928 
22    -0.0291   1.2082  -0.8147  -0.5396 
23    -0.0108   1.2089  -0.8228  -0.4906 
24    -0.7547   1.2223  -0.5210  -0.4813 
25    -1.0706   2.0007  -0.3966  -0.1929 
26    -0.8650   2.0149  -0.4164  -0.1861 
27    -1.3066   2.1457  -0.3756  -0.1485 
28    -0.5089   2.1482  -0.4308  -0.1464 
29     0.3237   2.1297  -0.4876  -0.1185 
30     0.0830   2.1090  -0.4742   0.0000 
31     0.0830   2.0994  -0.4742   0.0551 
32     1.7501   1.8606  -0.4304   0.1138 
33     1.8473   1.5125  -0.4245   0.1938 
34     1.0865   1.4217  -0.5219   0.2374 
35     1.2418   1.4032  -0.4960   0.2448 
36    -0.2128   1.4525  -0.7498   0.4187 
37    -0.2950   1.4836  -0.7735   0.5002 
38     0.9911   1.4428  -0.3398   0.5143 
39    -1.0096   1.4575  -1.0530   0.5296 
40     0.1349   1.4492  -0.6371   0.5688 
41     0.4512   1.4100  -0.5129   0.6134
３次のディストーションの収差係数（広角端）
面番号   V
1      0.8963 
2     -0.0884 
3     -0.0128 
4      0.2409 
5     -0.0104 
6     -0.0332 
7      0.0794 
8     -0.3488 
9      0.1270 
10     0.1646 
11    -0.1328 
12    -0.4952 
13     0.0260 
14    -0.8156 
15     0.1919 
16    -1.1958 
17     0.9417 
18     0.2032 
19     0.4273 
20    -0.0039 
21    -0.0917 
22    -0.4869 
23     0.9818 
24    -0.0303 
25     0.0801 
26    -0.0063 
27    -0.1459 
28     0.0761 
29    -0.1334 
30     0.0000 
31     0.1787 
32    -0.0851 
33     0.0536 
34     0.0011 
35    -0.8212 
36     0.3014 
37     0.1554 
38    -0.2295 
39    -0.0283 
40     0.3857 
41     0.0177
【００８２】
＜数値実施例４＞
単位 mm
面データ
第i面       ri         di       ndi     νdi      θgFi     有効径   焦点距離
1     -204.79851   2.50000  1.696797   55.53    0.5433     62.091   -115.366
2      133.93464   0.20000                                 61.905           
3       91.69315   3.72815  2.102050   16.77    0.6721     62.534    355.261
4      116.67681   4.63519                                 61.950           
5    -3328.10384   2.50000  1.696797   55.53    0.5433     61.981   -354.526
6      268.15995   2.00000                                 62.278           
7      244.03004   8.40980  1.620411   60.29    0.5426     62.904    137.836
8     -130.70000   3.00000  1.654115   39.70    0.5737     63.082   -580.448
9     -200.50000  17.84704                                 63.428           
10      157.56595   2.85000  1.846660   23.78    0.6205     61.590   -132.757
11       65.42970   0.59717                                 59.994           
12       66.79239  11.66371  1.496999   81.54    0.5374     60.241    105.153
13     -229.34107   0.19000                                 60.162           
14       69.82956   9.08594  1.487490   70.23    0.5300     58.600    151.196
15     1197.68869   0.19000                                 57.449           
16       84.53680   6.59855  1.620411   60.29    0.5426     55.734    178.009
17      345.20662    (可変)                                 54.273           
18      115.60141   1.42500  1.772499   49.60    0.5521     30.692    -43.106
19       25.80886   6.09645                                 28.296           
20      -64.68927   1.33000  1.589130   61.14    0.5406     28.312    -65.105
21       95.85406   1.14000                                 29.108           
22       41.92068   6.12593  1.846660   23.78    0.6205     30.632     45.368
23     -484.67721   2.52170                                 30.324           
24      -47.97539   1.23500  1.729157   54.68    0.5444     30.247    -49.743
25      152.99974    (可変)                                 30.877           
26      116.05829   5.58544  1.589130   61.14    0.5406     32.230     64.177
27      -55.39353   0.12825                                 32.523           
28       91.69957   8.25612  1.496999   81.54    0.5374     31.995     58.440
29      -41.41239   1.33000  1.800999   34.97    0.5863     31.213    -61.762
30     -249.24669    (可変)                                 31.105           
31(絞り)    ∞      2.91177                                 29.303           
32       33.09875   7.50204  1.620411   60.29    0.5426     28.376     67.061
33      145.56585   9.56548                                 26.187           
34     -121.47875   3.89638  1.805181   25.42    0.6161     20.882     37.522
35      -24.72443   1.50000  1.737999   32.26    0.5899     20.911    -17.475
36       28.08335   8.73653                                 20.782           
37     -118.63157   6.43084  1.496999   81.54    0.5374     24.545     53.011
38      -22.00000   0.74840                                 25.901           
39      -21.49045   1.50000  1.816000   46.62    0.5568     25.918    -91.821
40      -31.01771   8.02212                                 27.619           
41       55.68313   4.88195  1.589130   61.14    0.5406     33.032     83.152
42     -407.26788  45.96507                                 33.040           
像面        ∞  
各種データ
ズーム比      3.11 
広角     中間     望遠
焦点距離      45.00    80.00   140.00  
Fナンバー      2.80     2.80     2.80  
半画角        19.06    11.00     6.34  
像高          15.55    15.55    15.55  
レンズ全長   257.46   257.46   257.46  
BF            45.97    45.97    45.97  
d17            1.50    23.19    32.54  
d25           31.63    20.74     2.38  
d30           11.50     0.69     9.70  
入射瞳位置    80.79   138.40   197.15  
射出瞳位置   -96.93   -96.93   -96.93  
前側主点位置 111.62   173.62   199.98  
後側主点位置   0.97   -34.04   -94.03  
ズームレンズ群データ
群  始面    焦点距離  レンズ構成長  前側主点位置  後側主点位置
1    1      73.00        76.00        51.28          4.66
2   18     -25.00        19.87         5.66         -8.06
3   26      58.00        15.30         1.31         -8.45
4   31     106.46        55.70        46.06        -15.74
合焦時の第12群の移動量(物体側から像側の方向を正とする)
群     無限遠    最至近(1.0m)
12群     0          16.35
近軸追跡値（広角端）
面番号  α       H        α’     H ’
1      0.0000   1.0000  -1.0000  -1.7954 
2     -0.1538   1.0050  -0.7239  -1.7718 
3     -0.3901   1.0068  -0.3074  -1.7704 
4      0.1620   1.0004  -1.2782  -1.7204 
5     -0.2691   1.0281  -0.5368  -1.6651 
6     -0.2788   1.0373  -0.5210  -1.6481 
7     -0.4007   1.0551  -0.3275  -1.6335 
8     -0.2795   1.0872  -0.5151  -1.5742 
9      0.2926   1.0990  -0.4961  -1.5542 
10    -0.1303   1.1507  -0.7256  -1.2665 
11     0.1507   1.1456  -1.0349  -1.2311 
12    -0.5230   1.1525  -0.3109  -1.2270 
13    -0.1360   1.1760  -0.7229  -1.1020 
14    -0.0209   1.1761  -0.8307  -1.0984 
15     0.3498   1.1287  -1.1770  -0.9389 
16     0.3291   1.1273  -1.1597  -0.9340 
17     0.7028   1.0638  -1.4694  -0.8012 
18     0.6164   1.0432  -1.4043  -0.7544 
19     0.9317   1.0266  -1.6323  -0.7253 
20    -0.4578   1.0886  -0.6507  -0.6371 
21    -0.9056   1.1055  -0.3885  -0.6299 
22    -1.2126   1.1362  -0.2136  -0.6245 
23    -0.1697   1.1486  -0.7868  -0.5668 
24    -0.0786   1.1530  -0.8318  -0.5202 
25    -0.8706   1.1668  -0.4745  -0.5126 
26    -1.1219   1.9554  -0.3641  -0.2567 
27    -0.6735   2.0079  -0.4230  -0.2237 
28     0.2912   2.0071  -0.5305  -0.2222 
29     0.7821   1.9113  -0.5848  -0.1506 
30     0.1425   1.9090  -0.5344  -0.1419 
31     0.4205   1.8015  -0.5551   0.0000 
32     0.4205   1.7743  -0.5551   0.0359 
33     1.9255   1.5763  -0.5247   0.0898 
34     1.6233   1.2303  -0.5419   0.2053 
35     1.2462   1.1675  -0.6048   0.2358 
36     1.3963   1.1490  -0.5745   0.2434 
37     0.0320   1.1435  -0.8635   0.3934 
38    -0.1877   1.1637  -0.9391   0.4943 
39     0.9987   1.1497  -0.4351   0.5005 
40    -0.9790   1.1621  -1.2960   0.5169 
41     0.4238   1.0726  -0.6720   0.6587 
42     0.9306   1.0098  -0.3608   0.6831
３次のディストーションの収差係数（広角端）
面番号   V
1      1.2309 
2      0.0658 
3     -0.2504 
4      0.0403 
5      0.1095 
6     -0.0062 
7      0.0031 
8      0.0221 
9     -0.5429 
10     0.1254 
11     0.2058 
12    -0.1452 
13    -0.5805 
14     0.0339 
15    -0.9106 
16     0.4242 
17    -1.5735 
18     1.2840 
19     0.2877 
20     0.4676 
21     0.0086 
22    -0.1447 
23    -0.5205 
24     1.0808 
25    -0.0245 
26     0.0368 
27    -0.3221 
28     0.1115 
29     0.1119 
30    -0.2453 
31     0.0000 
32     0.2190 
33    -0.1692 
34     0.1111 
35     0.0016 
36    -1.0078 
37     0.2939 
38     0.1873 
39    -0.2717 
40     0.0279 
41     0.5813 
42    -0.0164
【００８３】
＜数値実施例５＞
単位 mm
面データ
第i面       ri         di       ndi     νdi      θgFi     有効径   焦点距離
1      295.01268   2.66000  1.772499   49.60    0.5521     72.176    -91.878
2       57.20621  16.51744                                 65.371           
3     -126.03429   2.37500  1.589130   61.14    0.5406     65.361   -256.308
4     -752.89141   1.04955                                 66.519           
5       92.29299   4.75000  1.922860   18.90    0.6495     69.140    234.329
6      155.58877   3.80686                                 68.901           
7      344.35398   2.28000  1.805181   25.42    0.6161     69.233   -245.887
8      126.07007  14.08461  1.589130   61.14    0.5406     69.331    104.438
9     -116.07149  18.59321                                 69.722           
10       99.01089   2.18500  1.805181   25.42    0.6161     63.476   -159.575
11       55.58844  16.67748  1.496999   81.54    0.5374     61.426     88.788
12     -195.44112   0.19000                                 60.748           
13       66.75712   8.88535  1.595220   67.74    0.5442     57.417    122.045
14      752.89620    (可変)                                 55.734           
15       98.72346   1.23500  1.816000   46.62    0.5568     25.757    -53.696
16       30.28261   4.84874                                 23.508           
17      -55.04852   1.14000  1.589130   61.14    0.5406     22.470    -31.974
18       29.02742   4.45572  1.808095   22.76    0.6307     21.197     37.017
19      683.54291   1.82601                                 20.577           
20      -43.07889   1.23500  1.772499   49.60    0.5521     20.518    -53.747
21*    1337.73630    (可変)                                 20.895           
22       66.18922   1.23500  1.834000   37.16    0.5775     21.741    -88.269
23       34.65998   3.06641  1.487490   70.23    0.5300     21.745     58.382
24     -157.47489   0.19000                                 21.895           
25       90.68628   1.90796  1.589130   61.14    0.5406     22.109    112.137
26     -244.91474    (可変)                                 22.124           
27(絞り)    ∞      1.49938                                 21.531           
28       31.00767   1.42500  1.755199   27.51    0.6103     21.431    -75.913
29       19.78262   3.46411  1.592010   67.02    0.5357     20.634     42.707
30       83.92386  14.71759                                 20.349           
31       48.39285   3.81455  1.761821   26.52    0.6135     18.560     20.996
32      -23.38220   1.20000  1.749505   35.33    0.5818     18.490    -15.573
33       24.14287  15.00026                                 18.114           
34       37.69649   7.47218  1.496999   81.54    0.5374     26.161     35.644
35      -31.38922   4.19375                                 26.323           
36      -28.03877   1.20000  1.903660   31.32    0.5946     24.753    -61.931
37      -56.90913  46.04769                                 25.488           
像面        ∞  
非球面データ
第21面
K = 6.47521e+003  A 4= 7.28288e-007  A 6= 1.43818e-009  A 8=-1.89454e-011  A10=-7.91776e-014  A12= 9.52326e-016  
各種データ
ズーム比      5.00 
広角     中間     望遠
焦点距離      30.00    70.00   150.00  
Fナンバー      4.00     4.00     4.00  
半画角        27.40    12.52     5.92  
像高          15.55    15.55    15.55  
レンズ全長   274.98   274.98   274.98  
BF            46.05    46.05    46.05  
d14            1.50    32.58    44.16  
d21           38.25    25.71     1.50  
d26           20.00     1.47    14.09  
入射瞳位置    66.66   129.34   198.76  
射出瞳位置   -57.05   -57.05   -57.05  
前側主点位置  87.93   151.81   130.52  
後側主点位置  16.05   -23.95  -103.95  
ズームレンズ群データ
群  始面    焦点距離  レンズ構成長  前側主点位置  後側主点位置
1    1      63.20        94.05        61.05         18.81
2   15     -22.00        14.74         5.31         -5.12
3   22      69.00         6.40         2.13         -2.05
4   27      95.06        53.99        16.56        -37.00
合焦時の第12群の移動量(物体側から像側の方向を正とする)
群     無限遠    最至近(0.8m)
12群     0          15.70
近軸追跡値（広角端）
面番号   α      H       α’     H ’
1      0.0000   1.0000  -1.0000  -2.2221 
2      0.0789   0.9961  -1.1754  -2.1634 
3     -0.3265   1.1758  -0.2948  -2.0012 
4     -0.4921   1.2003  -0.0130  -2.0005 
5     -0.4638   1.2165  -0.0602  -1.9984 
6     -0.0943   1.2243  -0.6671  -1.9438 
7     -0.3149   1.2642  -0.3169  -1.9036 
8     -0.2254   1.2737  -0.4517  -1.8847 
9     -0.2924   1.3599  -0.3525  -1.7807 
10    -0.0845   1.4123  -0.6247  -1.3935 
11     0.2632   1.4017  -0.9678  -1.3546 
12     0.0256   1.3923  -0.7381  -1.0808 
13     0.1321   1.3914  -0.8208  -1.0756 
14     0.5056   1.2977  -1.1095  -0.8699 
15     0.4747   1.2739  -1.0888  -0.8154 
16     0.7922   1.2560  -1.2920  -0.7862 
17    -0.2283   1.2929  -0.6533  -0.6806 
18    -0.6451   1.3083  -0.4339  -0.6702 
19    -0.3408   1.3362  -0.5898  -0.6220 
20    -0.3887   1.3598  -0.5675  -0.5875 
21    -1.1237   1.3859  -0.2499  -0.5817 
22    -1.1479   2.8495  -0.2398  -0.2759 
23    -0.0639   2.8509  -0.3448  -0.2682 
24    -0.9280   2.9146  -0.2635  -0.2501 
25    -0.6564   2.9188  -0.2868  -0.2483 
26    -0.0853   2.9222  -0.3354  -0.2349 
27     0.1264   2.8379  -0.3524   0.0000 
28     0.1264   2.8307  -0.3524   0.0203 
29     1.8131   2.7793  -0.3403   0.0299 
30     1.4710   2.6097  -0.3440   0.0696 
31     1.1089   2.0553  -0.3536   0.2464 
32     1.7847   1.9055  -0.2726   0.2693 
33     1.9046   1.8636  -0.2557   0.2749 
34     0.1713   1.7937  -0.5113   0.4835 
35     0.9704   1.5452  -0.2959   0.5593 
36     1.9732   1.5388   0.0671   0.5591 
37     0.2913   1.5338  -0.5440   0.5685
３次のディストーションの収差係数（広角端）
面番号   V
1      0.4523 
2      0.4710 
3      0.0660 
4      0.0029 
5     -0.2349 
6      0.0099 
7      0.0164 
8      0.0121 
9     -0.5915 
10     0.0574 
11     0.0241 
12    -0.6125 
13     0.1221 
14    -0.9567 
15     0.7236 
16     0.0389 
17     0.5124 
18    -0.0404 
19    -0.1582 
20     0.4586 
21     0.0360 
22     0.0117 
23     0.0021 
24    -0.0495 
25     0.0251 
26    -0.0893 
27     0.0000 
28     0.0871 
29    -0.0062 
30    -0.0758 
31     0.0944 
32     0.0028 
33    -0.4636 
34     0.4764 
35     0.4001 
36    -0.4859 
37     0.0043
【００８４】
＜数値実施例６＞
単位 mm
面データ
第i面       ri         di       ndi     νdi      θgFi     有効径   焦点距離
1     4223.62978   2.50000  1.696797   55.53    0.5433     61.571    -86.684
2       59.78700  10.22649                                 56.665           
3     -146.88609   2.20000  1.696797   55.53    0.5433     56.615   -244.586
4    -1042.17543   6.91855                                 56.954           
5       93.47373   5.17118  1.808095   22.76    0.6307     62.443    280.417
6      154.04313   2.50000                                 62.354           
7      222.07620   8.59235  1.487490   70.23    0.5300     62.803    169.972
8     -131.20537  16.57309                                 63.049           
9      111.48673   2.85000  1.805181   25.42    0.6161     60.674   -136.130
10       54.89059  13.36539  1.496999   81.54    0.5374     58.518     85.836
11     -178.29679   0.19000                                 58.228           
12       72.85828   8.19012  1.595220   67.74    0.5442     55.439    128.730
13     1330.23098    (可変)                                 53.890           
14       39.06758   1.42500  1.772499   49.60    0.5521     28.548    -77.609
15       23.32081   5.36255                                 26.000           
16      -77.14879   1.33000  1.589130   61.14    0.5406     25.973    -67.116
17       82.28676   1.14000                                 26.222           
18       33.53582   4.01958  1.846660   23.78    0.6205     27.145     56.613
19      103.13541   2.89438                                 26.656           
20      -52.21673   1.23500  1.589130   61.14    0.5406     26.586    -50.763
21       71.25518    (可変)                                 26.820           
22      146.90596   3.99420  1.589130   61.14    0.5406     27.183     80.980
23      -70.34347   0.12825                                 27.448           
24     -562.62295   4.30225  1.496999   81.54    0.5374     27.415     84.489
25      -39.28096   1.33000  1.834000   37.16    0.5775     27.413    -83.883
26      -90.22950    (可変)                                 27.784           
27(絞り)    ∞      1.00000                                 27.617           
28       34.58038   4.67355  1.618000   63.33    0.5441     27.579     59.758
29      488.38014  13.55541                                 26.918           
30      -77.11980   2.59571  2.102050   16.77    0.6721     20.604    107.591
31      -47.81605   1.50000  1.728250   28.46    0.6077     20.917    -28.866
32       38.57836  13.79597                                 21.253           
33      120.06049   5.73515  1.592400   68.30    0.5456     29.338     52.370
34      -41.28142   5.68368                                 29.894           
35      -28.86122   1.50000  1.903660   31.32    0.5946     29.814   -106.338
36      -42.13698   0.20000                                 31.248           
37       60.30831   6.34934  1.589130   61.14    0.5406     33.009     98.013
38    -1435.31250  43.99960                                 32.940           
像面        ∞  
各種データ
ズーム比      2.86 
広角     中間     望遠
焦点距離      35.00    60.00   100.00  
Fナンバー      2.80     2.80     2.80  
半画角        23.95    14.53     8.84  
像高          15.55    15.55    15.55  
レンズ全長   256.34   256.34   256.34  
BF            44.00    44.00    44.00  
d13            1.90    27.21    41.12  
d21           31.71    20.00     1.50  
d26           15.70     2.10     6.69  
入射瞳位置    64.70    97.79   127.01  
射出瞳位置   -93.92   -93.92   -93.92  
前側主点位置  90.82   131.68   154.51  
後側主点位置   9.00   -16.00   -56.00  
ズームレンズ群データ
群  始面    焦点距離  レンズ構成長  前側主点位置  後側主点位置
1    1      75.40        79.28        59.32         26.22
2   14     -31.20        17.41         8.32         -4.68
3   22      83.00         9.75         2.41         -3.90
4   27      77.99        56.59        34.72        -31.32
合焦時の第12群の移動量(物体側から像側の方向を正とする)
群     無限遠    最至近(0.7m)
12群     0          15.07
近軸追跡値（広角端）
面番号   α      H       α’     H ’
1      0.0000   1.0000  -1.0000  -1.8486 
2      0.0058   0.9998  -1.0107  -1.8062 
3     -0.4038   1.1177  -0.2708  -1.7270 
4     -0.5901   1.1396   0.0172  -1.7277 
5     -0.5634   1.2509  -0.0234  -1.7230 
6     -0.1810   1.2656  -0.5502  -1.6783 
7     -0.4157   1.2953  -0.2388  -1.6612 
8     -0.3159   1.3474  -0.3669  -1.6007 
9     -0.1401   1.4137  -0.5758  -1.3281 
10     0.2206   1.4038  -0.9146  -1.2870 
11    -0.0606   1.4193  -0.6568  -1.1196 
12     0.0782   1.4188  -0.7663  -1.1155 
13     0.4854   1.3477  -1.0864  -0.9563 
14     0.4642   1.3225  -1.0714  -0.8981 
15     1.3838   1.2908  -1.6959  -0.8592 
16    -0.1198   1.3091  -0.6950  -0.7527 
17    -0.4711   1.3204  -0.4930  -0.7409 
18    -0.8032   1.3465  -0.3066  -0.7310 
19     0.3984   1.3219  -0.9589  -0.6716 
20     0.0148   1.3206  -0.7640  -0.6084 
21    -0.5087   1.3319  -0.5228  -0.5968 
22    -0.8957   2.1433  -0.3495  -0.2802 
23    -0.5936   2.1859  -0.3890  -0.2523 
24     0.0496   2.1857  -0.4632  -0.2506 
25    -0.0182   2.1872  -0.4554  -0.2133 
26    -0.6825   2.2013  -0.3907  -0.2052 
27     0.0342   2.1859  -0.4575   0.0000 
28     0.0342   2.1839  -0.4575   0.0280 
29     1.5239   1.9668  -0.4384   0.0904 
30     1.5076   1.5374  -0.4391   0.2155 
31     0.8932   1.4932  -0.5253   0.2415 
32     1.0009   1.4762  -0.5078   0.2501 
33    -0.1397   1.5161  -0.7011   0.4504 
34     0.0123   1.5143  -0.6559   0.5485 
35     1.1634   1.4347  -0.2390   0.5648 
36    -0.5436   1.4435  -0.9110   0.5795 
37     0.5047   1.3714  -0.4902   0.6495 
38     1.0796   1.2859  -0.2178   0.6668
３次のディストーションの収差係数（広角端）
面番号  V
1      0.6366 
2      0.3913 
3      0.0284 
4      0.0017 
5     -0.2496 
6      0.0226 
7     -0.0019 
8     -0.4153 
9      0.0403 
10     0.0479 
11    -0.5818 
12     0.0718 
13    -0.9622 
14     0.1441 
15     0.2632 
16     0.5721 
17     0.0010 
18    -0.1526 
19    -0.2407 
20     0.8336 
21    -0.0067 
22     0.0406 
23    -0.2071 
24     0.1280 
25     0.0873 
26    -0.1976 
27     0.0000 
28     0.1457 
29    -0.1038 
30     0.0637 
31    -0.0006 
32    -0.6216 
33     0.3841 
34     0.1256 
35    -0.2189 
36     0.0025 
37     0.3382 
38    -0.0156
【００８５】
＜数値実施例７＞
単位 mm
面データ
第i面       ri         di       ndi     νdi      θgFi     有効径   焦点距離
1*      98.70007   2.50000  1.772499   49.60    0.5521     75.668    -55.418
2       29.62727  16.26062                                 55.309           
3       64.42910   2.00000  1.772499   49.60    0.5521     52.747    -87.740
4       32.65886  18.07660                                 47.083           
5      -52.68987   2.00000  1.589130   61.14    0.5406     46.718   -111.047
6     -270.22920   1.49474                                 49.520           
7       76.48550   5.60617  1.922860   18.90    0.6495     55.360    117.496
8      243.28386   4.02023                                 55.283           
9     4668.02554   8.22678  1.487490   70.23    0.5300     55.637    134.050
10      -66.46589   5.36022                                 55.818           
11     -622.14337   2.00000  1.846660   23.78    0.6205     52.313    -51.330
12       47.28994  12.39326  1.487490   70.23    0.5300     51.310     71.424
13     -122.23105   0.15000                                 51.721           
14      118.96805  11.02578  1.496999   81.54    0.5374     52.223     80.349
15      -58.51414   0.15000                                 52.037           
16       46.98238   4.59503  1.772499   49.60    0.5521     43.725     99.532
17      114.76830    (可変)                                 42.814           
18    10396.90306   1.20000  1.754998   52.32    0.5476     27.090    -33.265
19       25.16697   4.86194                                 23.972           
20     -153.43950   1.20000  1.496999   81.54    0.5374     23.390    -43.659
21       25.42462   5.07329  1.784696   26.29    0.6135     24.170     31.942
22    -4324.64113   3.34835                                 24.087           
23      -39.81518   1.20000  1.834000   37.16    0.5775     23.967    -59.807
24     -195.14536    (可変)                                 24.612           
25      142.25721   2.95792  1.729157   54.68    0.5444     25.745     79.349
26      -97.37703   0.20000                                 25.921           
27       60.75670   5.04520  1.496999   81.54    0.5374     25.935     49.403
28      -40.26471   1.40000  1.834000   37.16    0.5775     25.718    -67.044
29     -143.79570    (可変)                                 25.753           
30(絞り)    ∞      1.39957                                 24.312           
31       85.08699   4.36998  1.761821   26.52    0.6135     24.020     33.919
32      -36.74762   1.50000  1.720467   34.70    0.5834     23.714    -32.337
33       65.96749  10.69231                                 22.734           
34      112.13875   1.50000  1.834000   37.16    0.5775     21.437    -79.706
35       41.64594   5.81919  1.496999   81.54    0.5374     21.070     46.821
36      -50.62143   7.77569                                 20.819           
37       36.34485   5.68860  1.496999   81.54    0.5374     22.099     35.111
38      -31.99802   1.50000  1.834000   37.16    0.5775     21.977    -19.605
39       34.59932   5.00023                                 22.435           
40       40.76716   6.64810  1.487490   70.23    0.5300     27.106     44.425
41      -44.04308   0.00000                                 27.669           
像面        ∞
非球面データ
第1面
K = 0.00000e+000  A 4= 2.23037e-006  A 6=-6.41540e-010  A 8= 4.30245e-013  A10=-1.45017e-016  A12= 3.57965e-020  
各種データ
ズーム比      2.86 
広角     中間     望遠
焦点距離      14.00    21.00    40.00  
Fナンバー      2.79     2.79     2.80  
半画角        48.00    36.52    21.24  
像高          15.55    15.55    15.55  
レンズ全長   255.05   255.05   255.05  
BF            40.00    40.00    40.00  
d17            2.31    16.93    27.94  
d24           29.18    21.91     2.34  
d29            9.32     1.97    10.53  
d41           40.00    40.00    40.00  
入射瞳位置    33.57    38.48    46.11  
射出瞳位置   -70.63   -70.63   -70.63  
前側主点位置  45.80    55.49    71.65  
後側主点位置  26.00    19.00     0.00  
ズームレンズ群データ
群  始面    焦点距離  レンズ構成長  前側主点位置  後側主点位置
1    1      25.00        95.86        45.18         44.95
2   18     -24.00        16.88         4.02         -7.88
3   25      54.82         9.60         1.06         -4.98
4   30      83.91        51.89        34.16        -13.01
合焦時の第12群の移動量(物体側から像側の方向を正とする)
群     無限遠    最至近(0.7m)
12群     0          2.36
近軸追跡値（広角端）
面番号  α       H       α’      H ’
1      0.0000   1.0000  -1.0000  -2.3981 
2      0.1101   0.9889  -1.2640  -2.2710 
3     -0.2526   1.2824  -0.4311  -1.7703 
4     -0.0363   1.2853  -0.7296  -1.7117 
5     -0.4640   1.8844  -0.1601  -1.5049 
6     -0.7601   1.9526   0.0764  -1.5118 
7     -0.7003   2.0274   0.0301  -1.5150 
8     -0.3536   2.1006  -0.2290  -1.4676 
9     -0.4665   2.2346  -0.1501  -1.4245 
10    -0.4632   2.4174  -0.1522  -1.3644 
11    -0.2142   2.4994  -0.2928  -1.2523 
12    -0.2623   2.5196  -0.2687  -1.2316 
13    -0.5352   2.8377  -0.1353  -1.1512 
14    -0.3762   2.8417  -0.1998  -1.1491 
15    -0.2095   2.9519  -0.2672  -1.0086 
16     0.1425   2.9503  -0.3875  -1.0045 
17     0.8249   2.7979  -0.6198  -0.8900 
18     0.5600   2.7054  -0.5355  -0.8015 
19     0.5628   2.6780  -0.5364  -0.7754 
20    -0.5671   2.8749  -0.2092  -0.7027 
21    -0.6979   2.9149  -0.1773  -0.6926 
22    -0.2271   2.9608  -0.2891  -0.6341 
23    -0.2195   3.0133  -0.2907  -0.5646 
24    -1.1088   3.0650  -0.1241  -0.5588 
25    -0.9243   4.9913  -0.1578  -0.2300 
26    -0.5646   5.0602  -0.1743  -0.2088 
27    -0.0318   5.0606  -0.1963  -0.2060 
28     0.5495   4.9285  -0.2200  -0.1531 
29    -0.0347   4.9304  -0.2018  -0.1421 
30     0.3682   4.6852  -0.2134   0.0000 
31     0.3682   4.6484  -0.2134   0.0213 
32     0.9561   4.4797  -0.2107   0.0585 
33     1.0298   4.4157  -0.2098   0.0716 
34     0.3500   4.1484  -0.2208   0.2402 
35     0.7847   4.1027  -0.1956   0.2516 
36     0.3146   4.0154  -0.2245   0.3138 
37     0.8682   3.5332  -0.1812   0.4145 
38     1.5465   3.1138  -0.1016   0.4420 
39     1.0822   3.0508  -0.1675   0.4518 
40     0.0460   3.0344  -0.3210   0.5664 
41     0.5558   2.8571  -0.2258   0.6384
３次のディストーションの収差係数（広角端）
面番号   V
1     -0.1651 
2      0.2887 
3      0.0083 
4      0.2140 
5      0.0292 
6      0.0014 
7     -0.0587 
8     -0.0035 
9      0.0041 
10    -0.1276 
11     0.0511 
12     0.0268 
13    -0.0289 
14     0.0039 
15    -0.2629 
16     0.0159 
17    -0.1932 
18     0.2801 
19     0.0366 
20     0.0222 
21    -0.0215 
22    -0.0507 
23     0.1389 
24    -0.0109 
25     0.0104 
26    -0.0330 
27     0.0134 
28     0.0150 
29    -0.0377 
30     0.0000 
31     0.0316 
32    -0.0005 
33    -0.0355 
34     0.0391 
35    -0.0176 
36    -0.0056 
37     0.0377 
38    -0.0050 
39    -0.1681 
40     0.1437 
41     0.0047
【００８６】
【表１】
0005882817.tif 000003
【符号の説明】
【００８７】
Ｕ１      第１群
Ｕ２      第２群
Ｕ３      第３群
Ｕ４      第４群
Ｕ１１    第１１群
Ｕ１２    第１２群
Ｕ１３    第１３群
ＳＰ      絞り
【図１】
0005882817.tif 000004
【図２】
0005882817.tif 000005
【図３】
0005882817.tif 000006
【図４】
0005882817.tif 000007
【図５】
0005882817.tif 000008
【図６】
0005882817.tif 000009
【図７】
0005882817.tif 000010
【図８】
0005882817.tif 000011
【図９】
0005882817.tif 000012
【図１０】
0005882817.tif 000013
【図１１】
0005882817.tif 000014
【図１２】
0005882817.tif 000015
【図１３】
0005882817.tif 000016
【図１４】
0005882817.tif 000017
【図１５】
0005882817.tif 000018
【図１６】
0005882817.tif 000019
【図１７】
0005882817.tif 000020
【図１８】
0005882817.tif 000021
【図１９】
0005882817.tif 000022
【図２０】
0005882817.tif 000023